(57)【要約】【課題】必要以上に走行駆動力源の出力トルクを制限することなく、且つデファレンシャル装置のリングギヤとデフケースとを締結しているボルトの緩みを防止する。【解決手段】自動変速機のシフトレンジが前進レンジと後進レンジとの間で切り替わった際に、その切り替り前の入力トルクが所定値を超えており、且つその切り替り後の入力トルクが所定値を超えている場合に、カウンタのカウント値をカウントアップする。カウンタのカウント値が所定値に達した以後における前進レンジと後進レンジとの間での切り替え時には、エンジンの出力トルクを低減する制御を行う。これにより、前記カウント値が所定値に達するまではエンジンの出力トルクを制限しないことで高い走行性能を得る。カウント値が所定値に達した後には、ボルトの緩みを防止する。【選択図】図４
2017053443.tif 000002
【特許請求の範囲】
【請求項１】
走行駆動力源、自動変速機、および、前記走行駆動力源から前記自動変速機を経て入力される入力トルクを受けるリングギヤとデフケースとがボルトによって締結されたデファレンシャル装置を搭載した車両に適用され、前記自動変速機が前進レンジと後進レンジとの間で切り替えられた際に前記走行駆動力源の出力トルクを制限するレンジ切替時トルク制限制御が可能な車両制御装置において、
前記自動変速機のシフトレンジが前進レンジと後進レンジとの間で切り替わったことを判定するレンジ判定部と、
前記入力トルクを算出する入力トルク算出部と、
前記自動変速機のシフトレンジが前進レンジと後進レンジとの間で切り替わった際、その切り替わり前後の前記入力トルクが共に所定値を超えている場合に、カウンタのカウント値をカウントアップするカウント部と、
前記カウンタのカウント値が所定値に達するまでは、前記レンジ切替時トルク制限制御を非実行とする一方、前記カウンタのカウント値が所定値に達した以後は、前記レンジ切替時トルク制限制御を許可するトルク制限制御実行部とを備えていることを特徴とする車両制御装置。
【請求項２】
請求項１記載の車両制御装置において、
前記トルク制限制御実行部は、前記カウンタのカウント値が所定値に達した以後にあっては、前記自動変速機が前進レンジと後進レンジとの間で切り替えられる際における切り替え前の前記入力トルクが所定値を超えている場合に限り、前記レンジ切替時トルク制限制御を許可する構成となっていることを特徴とする車両制御装置。
【請求項３】
請求項１または２記載の車両制御装置において、
前記カウンタのカウント値がカウントアップされる前記入力トルクの所定値は、前記ボルトの頭部と、前記リングギヤまたは前記デフケースのボルト取付座面との間で滑りが生じる入力トルク範囲の下限値として設定されていることを特徴とする車両制御装置。
【発明の詳細な説明】
【技術分野】
【０００１】
本発明は車両制御装置に係る。特に、本発明は自動変速機のレンジ切り替え時における走行駆動力源の出力トルクの制御に関する。
【背景技術】
【０００２】
従来、特許文献１に開示されているように、自動変速機を搭載した車両において、自動変速機のシフトレンジが前進レンジと後進レンジとの間で切り替わった場合に、エンジントルクを一時的に絞ることが提案されている。
【先行技術文献】
【特許文献】
【０００３】
【特許文献１】特開２００９−２６４１２８号公報
【発明の概要】
【発明が解決しようとする課題】
【０００４】
ところで、車両の動力伝達系に備えられているデファレンシャル装置は、リングギヤ（デフドリブンギヤとも呼ばれる）とデフケースとがボルトによって締結されている。また、リングギヤおよびデフケースの回転方向は、車両の前進時と後進時とでは反対方向となる。このため、リングギヤおよびデフケースに大きなトルクが作用した状態でシフトレンジが前進レンジと後進レンジとの間で切り替わった場合、リングギヤおよびデフケースの回転方向が反転するのに伴い、前記ボルトの頭部とリングギヤまたはデフケースのボルト取付座面との間で滑りが生じ、このような状況が繰り返されると、前記ボルトが緩みやすくなる可能性がある。
【０００５】
前述したように、特許文献１に開示されているものでは、シフトレンジが前進レンジと後進レンジとの間で切り替わった場合に、エンジントルクを一時的に絞っている。つまり、リングギヤおよびデフケースに作用するエンジントルクを一時的に制限している。このため、前記ボルトの緩みを防止することが可能である。
【０００６】
しかしながら、この特許文献１のものでは、車両の出荷当初であって前記ボルトの締結力が十分に確保されている状況であっても（リングギヤおよびデフケースに大きなトルクが作用しても十分な締結力が維持される状況であっても）、シフトレンジが前進レンジと後進レンジとの間で切り替わった場合にはエンジントルクを一時的に絞ることになる。このため、必要以上にエンジントルクを制限してしまうことになっていた。
【０００７】
本発明は、かかる点に鑑みてなされたものであり、その目的とするところは、必要以上に走行駆動力源の出力トルクを制限することなく、且つデファレンシャル装置のリングギヤとデフケースとを締結しているボルトの緩みを防止できる車両制御装置を提供することにある。
【課題を解決するための手段】
【０００８】
前記の目的を達成するための本発明の解決手段は、走行駆動力源、自動変速機、および、前記走行駆動力源から前記自動変速機を経て入力される入力トルクを受けるリングギヤとデフケースとがボルトによって締結されたデファレンシャル装置を搭載した車両に適用され、前記自動変速機が前進レンジと後進レンジとの間で切り替えられた際に前記走行駆動力源の出力トルクを制限するレンジ切替時トルク制限制御が可能な車両制御装置を前提とする。この車両制御装置に対し、レンジ判定部、入力トルク算出部、カウント部およびトルク制限制御実行部を備えさせている。レンジ判定部は、前記自動変速機のシフトレンジが前進レンジと後進レンジとの間で切り替わったことを判定する。入力トルク算出部は、前記入力トルクを算出する。カウント部は、前記自動変速機のシフトレンジが前進レンジと後進レンジとの間で切り替わった際、その切り替わり前後の前記入力トルクが共に所定値を超えている場合に、カウンタのカウント値をカウントアップする。トルク制限制御実行部は、前記カウンタのカウント値が所定値に達するまでは、前記レンジ切替時トルク制限制御を非実行とする一方、前記カウンタのカウント値が所定値に達した以後は、前記レンジ切替時トルク制限制御を許可する。
【０００９】
この特定事項により、前記カウンタのカウント値が所定値に達するまでは、レンジ切替時トルク制限制御は行われないことになる。つまり、自動変速機のシフトレンジが前進レンジと後進レンジとの間で切り替わった際、その切り替わり前後の入力トルクが共に大きくても、前記カウンタのカウント値が所定値に達するまでは、走行駆動力源の出力トルクを制限しない。これにより、デファレンシャル装置のリングギヤとデフケースとを締結しているボルトの締結力が十分に確保されている状況においては、車両の走行性能が高く確保される。一方、前記カウンタのカウント値が所定値に達すると、レンジ切替時トルク制限制御が許可される。これにより、自動変速機が前進レンジと後進レンジとの間で切り替わる際に、デファレンシャル装置に大きなトルクが作用した状態でレンジが切り替わるといった状況を招かないようにすることができ、前記ボルトの緩みを防止できる。
【００１０】
前記トルク制限制御実行部は、前記カウンタのカウント値が所定値に達した以後にあっては、前記自動変速機が前進レンジと後進レンジとの間で切り替えられる際における切り替え前の前記入力トルクが所定値を超えている場合に限り、前記レンジ切替時トルク制限制御を許可する構成となっていることが好ましい。
【００１１】
これによれば、カウンタのカウント値が所定値に達した以後であっても、自動変速機が前進レンジと後進レンジとの間で切り替えられる際における切り替え前の入力トルクが所定値以下であって、デファレンシャル装置のリングギヤとデフケースとを締結しているボルトに緩みが生じにくい状況（ボルトの緩みを生じさせない入力トルクとなっている状況）ではレンジ切替時トルク制限制御を非実行とすることになる。このため、前記カウンタのカウント値が所定値に達した以後におけるレンジ切替時トルク制限制御の実行機会を抑えることができる。
【００１２】
前記カウンタのカウント値がカウントアップされる前記入力トルクの所定値は、前記ボルトの頭部と、前記リングギヤまたは前記デフケースのボルト取付座面との間で滑りが生じる入力トルク範囲の下限値として設定されていることが好ましい。
【００１３】
このようにカウンタのカウント値がカウントアップされる入力トルクの所定値を設定していることにより、前記ボルトの頭部と前記ボルト取付座面との間で滑りが生じる入力トルクが作用している状態で自動変速機のシフトレンジが前進レンジと後進レンジとの間で切り替わる度に、前記カウンタのカウント値がカウントアップされていくことになる。このため、レンジ切替時トルク制限制御を許可する時期を適正に得ることができる。
【発明の効果】
【００１４】
本発明では、自動変速機のシフトレンジが前進レンジと後進レンジとの間で切り替わった際、その切り替わり前後におけるデファレンシャル装置への入力トルクが共に所定値を超えている回数が所定値に達するまでは、レンジ切替時トルク制限制御を非実行とする一方、その回数が所定値に達した以後は、レンジ切替時トルク制限制御を許可するようにしている。このため、デファレンシャル装置のリングギヤとデフケースとを締結しているボルトの締結力が十分に確保されている状況においては、レンジ切替時トルク制限制御を非実行とすることで、車両の走行性能が高く確保される。一方、前記回数が所定値に達した以後には、デファレンシャル装置に大きなトルクが作用した状態でレンジが切り替わるといった状況を招かないようにすることができ、ボルトの緩みを防止できる。
【図面の簡単な説明】
【００１５】
【図１】実施形態に係る車両の駆動系の概略構成を示す図である。
【図２】デファレンシャル装置の構成を示す断面図である。
【図３】ＥＣＵを含む制御ブロックの概略構成図である。
【図４】実施形態に係る自動変速機のレンジ切り替え時におけるエンジントルク制御の手順の一部を示すフローチャート図である。
【図５】実施形態に係る自動変速機のレンジ切り替え時におけるエンジントルク制御の手順の他の一部を示すフローチャート図である。
【図６】自動変速機のレンジ切り替え時における、シフトレンジ、デフ入力トルク、高トルク入力カウンタのカウント値、レンジ切替時トルク制限フラグそれぞれの変化の一例を示すタイミングチャート図である。
【図７】変形例に係る自動変速機のレンジ切り替え時におけるエンジントルク制御の手順の一部を示すフローチャート図である。
【図８】変形例に係る自動変速機のレンジ切り替え時におけるエンジントルク制御の手順の他の一部を示すフローチャート図である。
【発明を実施するための形態】
【００１６】
以下、本発明の実施の形態を図面に基づいて説明する。本実施形態では、自動変速機を搭載したＦＦ（フロントエンジン・フロントドライブ）型車両に本発明を適用した場合について説明する。尚、本発明は、ＦＲ（フロントエンジン・リヤドライブ）型車両に適用することも可能である。
【００１７】
−車両の概略構成−
図１は本実施形態に係る車両の駆動系の概略構成を示す図である。車両１は、エンジン（内燃機関）２と、トルクコンバータ３と、自動変速機４と、デファレンシャル装置５と、油圧制御装置６と、ＥＣＵ１００とを備えている。
【００１８】
この車両１では、エンジン２の出力が、トルクコンバータ３および自動変速機４を介してデファレンシャル装置５に伝達され、左右の駆動輪（前輪）７，７に分配される。
【００１９】
また、前記ＥＣＵ１００は、エンジン２を制御するエンジンＥＣＵ２００と、トルクコンバータ３および自動変速機４を制御するＥＣＴ−ＥＣＵ（Electronic Controlled automatic Transmission-ECU）３００とを含む構成となっている。
【００２０】
エンジン２は、走行駆動力源であり、例えば多気筒ガソリンエンジンである。エンジン２は、スロットルバルブのスロットル開度（吸入空気量）、インジェクタからの燃料噴射量、点火プラグの点火時期などによりエンジン運転状態を制御可能に構成されている。これらスロットル開度、燃料噴射量、点火時期などの制御は前記エンジンＥＣＵ２００からのエンジン制御指令信号に従って行われる。
【００２１】
トルクコンバータ３は、図示しない入力側のポンプインペラと、出力側のタービンランナと、トルク増幅機能を有するステータと、ポンプインペラとタービンランナとを直結するロックアップクラッチとを備えている。
【００２２】
自動変速機４は、有段式の変速機であり、複数の摩擦係合要素および遊星歯車装置を備えている。この自動変速機４では、複数の摩擦係合要素それぞれが選択的に係合または解放されることにより、前進側の複数の変速段（例えば６段）および後進段のうちの何れかを成立させることが可能である。複数の摩擦係合要素それぞれを選択的に係合または解放する制御は前記ＥＣＴ−ＥＣＵ３００からの変速指令信号に従って行われる。
【００２３】
具体的に、ＥＣＴ−ＥＣＵ３００は、自動変速機４の油圧制御装置６にソレノイド制御信号（変速指令信号）を出力する。このソレノイド制御信号に基づいて油圧制御装置６に備えられたリニアソレノイドバルブやオンオフソレノイドバルブなどが制御され、所定の変速段（例えば前進段としての第１速段〜第６速段および後進段のうちの何れか）を成立させるように、自動変速機４の摩擦係合要素である各種クラッチおよびブレーキが係合または解放されるようになっている。ＥＣＴ−ＥＣＵ３００は、自動変速機４のシフトレンジが前進レンジである場合には、車速やスロットル開度などに応じて規定される（ＥＣＴ−ＥＣＵ３００のＲＯＭに記憶された変速マップによって規定される）変速段（目標変速段）が成立するように油圧制御装置６にソレノイド制御信号を出力し、これに従って各種クラッチおよびブレーキが係合または解放されて目標変速段が成立するようになっている。また、ＥＣＴ−ＥＣＵ３００は、自動変速機４のシフトレンジが後進レンジとなる場合には、後進段が成立するように油圧制御装置６にソレノイド制御信号を出力し、これに従って各種クラッチおよびブレーキが係合または解放されて後進段が成立するようになっている。自動変速機４の出力軸は、デファレンシャル装置５を介して駆動輪７，７に動力伝達可能に連結されている。
【００２４】
図２は、デファレンシャル装置５の構成を示す断面図である。このデファレンシャル装置５は、左右の後輪７，７へのトルクの差動配分を行う差動動作が可能な装置である。図２に示すように、デファレンシャル装置５は、自動変速機４からの動力を受けるリングギヤ（デフドリブンギヤ）５１、このリングギヤ５１にボルトＢによって締結されたデフケース５２、このデフケース５２にピニオンシャフト５３を介して回転自在に支持された一対のピニオンギヤ５４，５４、および、これら一対のピニオンギヤ５４，５４に噛み合う一対のサイドギヤ５５，５５などを備えている。各サイドギヤ５５，５５に、それぞれ、ドライブシャフト７１，７１を介して駆動輪７，７が連結されている。
【００２５】
−エンジンＥＣＵおよびＥＣＴ−ＥＣＵ−
前記エンジンＥＣＵ２００およびＥＣＴ−ＥＣＵ３００は、いずれもＥＣＵ（Electronic Control Unit）からなり、図示しないが、ＣＰＵ（Central Processing Unit）、ＲＯＭ（Read Only Memory）、ＲＡＭ（Random Access Memory）およびバックアップＲＡＭなどを備えている。また、エンジンＥＣＵ２００およびＥＣＴ−ＥＣＵ３００は、前述したエンジン制御やトランスミッション制御に必要な情報を互いに送受信可能に接続されている。
【００２６】
図３は、エンジンＥＣＵ２００およびＥＣＴ−ＥＣＵ３００を備えたＥＣＵ１００を含む制御ブロックの概略構成図である。この図３に示すようにエンジンＥＣＵ２００には、クランク角センサ２０１、スロットル開度センサ２０２、エアフローメータ２０３などのエンジン２の運転状態を検出する各種センサが接続されており、その各センサの信号が入力される。これらセンサの機能は周知であるので、ここでの説明は省略する。また、このエンジンＥＣＵ２００は、スロットルバルブのアクチュエータ（スロットルモータ等）２１、インジェクタ２２の燃料噴射量や燃料噴射時期、点火プラグ２３の点火時期などを制御する。
【００２７】
また、エンジンＥＣＵ２００のＲＯＭには、エンジン２の出力トルクを推定するためのトルク推定マップが記憶されている。このトルク推定マップを参照することで、少なくとも前記クランク角センサ２０１からの出力信号に基づいて算出されるエンジン回転数と、スロットル開度センサ２０２によって検出されるスロットル開度、若しくは後述するアクセル開度センサ３０３によって検出されるアクセル開度とに基づいて、現在のエンジン２の出力トルクを推定することができる。また、このエンジン２の出力トルクおよび自動変速機４の変速比に基づいて、デファレンシャル装置５のリングギヤ５１に入力される入力トルクを算出することが可能である。例えば、前述の如く推定されたエンジン２の出力トルクに、自動変速機４で成立している現在の変速段の変速比を乗算することによって、前記リングギヤ５１に入力されている入力トルクを算出することが可能である。
【００２８】
ＥＣＴ−ＥＣＵ３００には、自動変速機４の入力軸の回転数を検出する入力軸回転数センサ３０１、自動変速機４の出力軸の回転数を検出する出力軸回転数センサ３０２、アクセル開度センサ３０３、シフトポジションセンサ３０４、車輪速センサ３０５、ブレーキペダルセンサ３０６などが接続されている。
【００２９】
前記シフトポジションセンサ３０４は、図１に示すように、車両の乗員が操作するシフト装置４１のシフトレバー４２の位置を検出する。シフトレバー４２は、パーキング（Ｐ）位置、リバース（Ｒ）位置、ニュートラル（Ｎ）位置、ドライブ（Ｄ）位置などへ操作することができる。これら各位置Ｐ〜Ｄに対応する信号をシフトポジションセンサ３０４がＥＣＴ−ＥＣＵ３００に出力する。その他のセンサの機能は周知であるので、ここでの説明は省略する。
【００３０】
前述した如く、ＥＣＴ−ＥＣＵ３００は、自動変速機４の油圧制御装置６にソレノイド制御信号を出力する。このソレノイド制御信号に基づいて油圧制御装置６の油圧制御回路に備えられているリニアソレノイドバルブやオンオフソレノイドバルブなどが制御され、所定の変速段（第１速段〜第６速段、後進段など）を成立させるように、自動変速機４の各クラッチおよび各ブレーキが係合または解放される。
【００３１】
−レンジ切り替え時のエンジントルク制御−
次に、本実施形態の特徴である自動変速機４のレンジ切り替え時のエンジントルク制御について説明する。先ず、このエンジントルク制御の概略について説明する。
【００３２】
前述したように、デファレンシャル装置５は、リングギヤ５１とデフケース５２とがボルトＢによって締結されている。また、リングギヤ５１およびデフケース５２の回転方向は、車両１の前進時と後進時とでは反対方向となる。このため、リングギヤ５１およびデフケース５２に大きなトルクが作用した状態でシフトレンジが前進レンジと後進レンジとの間で切り替わった場合、リングギヤ５１およびデフケース５２の回転方向が反転するのに伴い、前記ボルトＢの頭部とリングギヤ５１またはデフケース５２のボルト取付座面（図２に示すものにあってはリングギヤ５１のボルト取付座面５１ａ）との間で滑りが生じ、このような状況が繰り返されると、前記ボルトＢが緩みやすくなる可能性がある。前記特許文献１に開示されているものでは、シフトレンジが前進レンジと後進レンジとの間で切り替わった場合に、エンジントルクを一時的に絞っている。つまり、リングギヤおよびデフケースに作用するエンジントルクを一時的に制限している。このため、前記ボルトの緩みを防止することが可能である。
【００３３】
しかしながら、この特許文献１のものでは、車両の出荷当初であって前記ボルトの締結力が十分に確保されている状況であっても（リングギヤおよびデフケースに大きなトルクが作用しても十分な締結力が維持される状況であっても）、シフトレンジが前進レンジと後進レンジとの間で切り替わった場合にはエンジントルクを一時的に絞ることになる。このため、必要以上にエンジントルクを制限してしまうことになっていた。
【００３４】
本実施形態は、この点に鑑み、レンジ切り替え時（前進レンジ（Ｄレンジ）と後進レンジ（Ｒレンジ）との間での切り替え時）のエンジントルク制御を以下のように実行し、これによって、レンジ切り替え時にエンジントルクの制限を行う期間を規定したことに特徴がある。以下、具体的に説明する。
【００３５】
このレンジ切り替え時のエンジントルク制御では、先ず、自動変速機４のシフトレンジが前進レンジと後進レンジとの間で切り替わったことを判定する。また、エンジン２から自動変速機４を経てデファレンシャル装置５に入力される入力トルク（デファレンシャル装置５のリングギヤ５１に入力される入力トルク）を算出する。そして、ＥＣＵ１００に高トルク入力カウンタを備えさせ、自動変速機４のシフトレンジが前進レンジと後進レンジとの間で切り替わった際、その切り替わり前後の前記入力トルク（デファレンシャル装置５のリングギヤ５１に入力される入力トルク）が共に所定値を超えている場合に、前記高トルク入力カウンタのカウント値をカウントアップ（インクリメント）する。そして、この高トルク入力カウンタのカウント値が所定値に達するまでは、エンジントルクを一時的に制限する制御（以下、レンジ切替時トルク制限制御という）を非実行とする一方、高トルク入力カウンタのカウント値が所定値に達した以後は、前記レンジ切替時トルク制限制御を許可するようにしている。
【００３６】
これらの動作は、前記ＥＣＵ１００において行われる。このため、ＥＣＵ１００において、自動変速機４のシフトレンジが前進レンジと後進レンジとの間で切り替わったことを判定する機能部分が本発明でいうレンジ判定部に相当することになる。このレンジ判定部は、例えばＥＣＴ−ＥＣＵ３００における機能部分として備えられている。また、ＥＣＵ１００において、エンジン２から自動変速機４を経てデファレンシャル装置５に入力される入力トルク（デファレンシャル装置５のリングギヤ５１に入力される入力トルク）を算出する機能部分が本発明でいう入力トルク算出部に相当することになる。この入力トルク算出部は、例えばＥＣＴ−ＥＣＵ３００における機能部分として備えられている。また、ＥＣＵ１００において、自動変速機４のシフトレンジが前進レンジと後進レンジとの間で切り替わった際、その切り替わり前後の前記入力トルクが共に所定値を超えている場合に、前記高トルク入力カウンタのカウント値をカウントアップする機能部分が本発明でいうカウント部に相当することになる。このカウント部は、例えばＥＣＴ−ＥＣＵ３００における機能部分として備えられている。そして、ＥＣＵ１００において、高トルク入力カウンタのカウント値が所定値に達するまでは、レンジ切替時トルク制限制御を非実行とする一方、高トルク入力カウンタのカウント値が所定値に達した以後は、レンジ切替時トルク制限制御を許可するといった機能部分が本発明でいうトルク制限制御実行部に相当することになる。このトルク制限制御実行部は、例えばエンジンＥＣＵ２００における機能部分として備えられている。
【００３７】
以下、レンジ切り替え時のエンジントルク制御の手順について図４および図５のフローチャートを用いて説明する。このフローチャートは、エンジン２の始動後、所定時間毎に前記ＥＣＵ１００において実行される。
【００３８】
先ず、ステップＳＴ１において、自動変速機４のシフトレンジの切り替え要求が生じたか否かを判定する。この判定は、前記シフトポジションセンサ３０４からの出力信号に基づき、車両の乗員がシフト装置４１のシフトレバー４２の操作を行ったか（シフトレバー４２のシフトポジションの変更を行ったか）否かを判定するものである。
【００３９】
シフトレンジの切り替え要求が生じておらず、ステップＳＴ１でＮＯ判定された場合には、レンジ切り替え時のエンジントルク制限制御（レンジ切替時トルク制限制御）を行う必要はないとして、そのままリターンされる。この場合、運転者が要求しているエンジントルク（エンジン回転数やアクセル開度等から求められる要求エンジントルク）が出力されるように、エンジンＥＣＵ２００によるエンジン２の制御が行われることになる。
【００４０】
一方、シフトレンジの切り替え要求が生じており、ステップＳＴ１でＹＥＳ判定された場合には、ステップＳＴ２に移り、その切り替え要求が前進レンジから後進レンジへの切り替え要求であるか否かを判定する。この判定も前記シフトポジションセンサ３０４からの出力信号に基づいて行われる。このステップＳＴ２の動作が、本発明でいう「レンジ判定部による動作であって、自動変速機のシフトレンジが前進レンジと後進レンジとの間で切り替わったことを判定する動作」に相当する。
【００４１】
シフトレンジの切り替え要求が前進レンジから後進レンジへの切り替え要求であって、ステップＳＴ２でＹＥＳ判定された場合には、ステップＳＴ３に移り、ＥＣＵ１００に予め記憶されているレンジ切替時トルク制限フラグが１にセットされているか否かを判定する。このレンジ切替時トルク制限フラグは、シフトレンジが切り替えられた際のレンジ切替時トルク制限制御が許可される条件が成立している場合に１にセットされる（後述する高トルク入力カウンタのカウント値が所定値に達したことによってステップＳＴ１２で１にセットされる）フラグである。
【００４２】
車両の出荷時点にあってはレンジ切替時トルク制限フラグは０となっており、ステップＳＴ３でＮＯ判定され、ステップＳＴ４に移る。このステップＳＴ４では、自動変速機４のシフトレンジが前進レンジから後進レンジに切り替わった際のその切り替わり前後の入力トルク（デファレンシャル装置５に入力されるトルク）を算出する。つまり、シフトレンジの切り替え前の前進レンジであった際の入力トルク（以下、切替前デフ入力トルクと呼ぶ）を算出すると共に、シフトレンジの切り替え後の後進レンジとなった際の入力トルク（以下、切替後デフ入力トルクと呼ぶ）を算出する。具体的には、前記シフトレンジの切り替え要求が生じた時点でのエンジントルク（前進レンジにある状態でのエンジントルク；前記トルク推定マップによって求められたエンジントルク）に、この前進レンジで成立している変速比（シフトレンジの切り替え要求が生じた時点での変速段における変速比）を乗算することによって切替前デフ入力トルクを算出する。また、前記シフトレンジの切り替え要求に従ってシフトレンジが切り替わった際のエンジントルク（後進レンジとなった際のエンジントルク；前記トルク推定マップによって求められたエンジントルク）に、この後進レンジでの変速比（後進段における変速比）を乗算することによって切替後デフ入力トルクを算出する。このステップＳＴ４の動作が、本発明でいう「入力トルク算出部による動作であって、入力トルク（走行駆動力源から自動変速機を経てデファレンシャル装置のリングギヤに入力される入力トルク）を算出する動作」に相当する。
【００４３】
その後、ステップＳＴ５に移り、前記切替前デフ入力トルク（切替前の前進レンジでのデフ入力トルク）が所定値を超えており、且つ前記切替後デフ入力トルク（切替後の後進レンジでのデフ入力トルク）が所定値を超えているか否かを判定する。これら所定値は、前記ボルトＢの頭部とリングギヤ５１のボルト取付座面５１ａとの間で滑りが生じる可能性があるデフ入力トルクの範囲の下限値に相当する値として、実験またはシミュレーション等に基づいて設定されている。また、これら所定値は、同一の値であってもよいし、互いに異なる値であってもよい。
【００４４】
前記切替前デフ入力トルクおよび前記切替後デフ入力トルクのうち少なくとも一方が所定値以下であって、ステップＳＴ５でＮＯ判定された場合には、前記高トルク入力カウンタのカウント値をインクリメントすることなく、そのままリターンされる。
【００４５】
一方、前記切替前デフ入力トルクおよび前記切替後デフ入力トルクの両方が所定値を超えており、ステップＳＴ５でＹＥＳ判定された場合には、ステップＳＴ６に移り、前記高トルク入力カウンタのカウント値をインクリメントする。これらステップＳＴ５，ＳＴ６の動作が、本発明でいう「カウント部による動作であって、自動変速機のシフトレンジが前進レンジと後進レンジとの間で切り替わった際、その切り替わり前後の入力トルクが共に所定値を超えている場合に、カウンタのカウント値をカウントアップする動作」に相当する。
【００４６】
一方、前記シフトレンジの切り替え要求が前進レンジから後進レンジへの切り替え要求ではなく、ステップＳＴ２でＮＯ判定された場合には、ステップＳＴ７（図５）に移る。このステップＳＴ７では、シフトレンジの切り替え要求が後進レンジから前進レンジへの切り替え要求であるか否かを判定する。この判定も前記シフトポジションセンサ３０４からの出力信号に基づいて行われる。このステップＳＴ７の動作が、本発明でいう「レンジ判定部による動作であって、自動変速機のシフトレンジが前進レンジと後進レンジとの間で切り替わったことを判定する動作」に相当する。
【００４７】
シフトレンジの切り替え要求が後進レンジから前進レンジへの切り替え要求ではなく、ステップＳＴ７でＮＯ判定された場合には、シフトレンジの切り替え要求は、前進レンジと後進レンジとの間での切り替え要求ではない（例えばＰレンジやＮレンジへの切り替え要求である）として、そのままリターンされる。
【００４８】
シフトレンジの切り替え要求が後進レンジから前進レンジへの切り替え要求であって、ステップＳＴ７でＹＥＳ判定された場合には、ステップＳＴ８に移り、前記レンジ切替時トルク制限フラグが１にセットされているか否かを判定する。
【００４９】
前述したように車両の出荷時点にあってはレンジ切替時トルク制限フラグは０となっているので、ステップＳＴ８ではＮＯ判定され、ステップＳＴ９に移る。このステップＳＴ９では、自動変速機４のシフトレンジが後進レンジから前進レンジに切り替わった際のその切り替わり前後の入力トルク（デファレンシャル装置５に入力されるトルク）を算出する。つまり、シフトレンジの切り替え前の後進レンジであった際の入力トルク（切替前デフ入力トルク）を算出すると共に、シフトレンジの切り替え後の前進レンジとなった際の入力トルク（切替後デフ入力トルク）を算出する。具体的には、前記シフトレンジの切り替え要求が生じた時点でのエンジントルク（後進レンジにある状態でのエンジントルク；前記トルク推定マップによって求められたエンジントルク）に、この後進レンジでの変速比（後進段における変速比）を乗算することによって切替前デフ入力トルクを算出する。また、前記シフトレンジの切り替え要求に従ってシフトレンジが切り替わった際のエンジントルク（前進レンジとなった際のエンジントルク；前記トルク推定マップによって求められたエンジントルク）に、この前進レンジで成立している変速比（シフトレンジの切り替え要求が生じた時点での変速段における変速比；例えば第１速段における変速比）を乗算することによって切替後デフ入力トルクを算出する。このステップＳＴ９の動作が、本発明でいう「入力トルク算出部による動作であって、入力トルク（走行駆動力源から自動変速機を経てデファレンシャル装置のリングギヤに入力される入力トルク）を算出する動作」に相当する。
【００５０】
その後、ステップＳＴ１０に移り、前記切替前デフ入力トルク（切替前の後進レンジでのデフ入力トルク）が所定値を超えており、且つ前記切替後デフ入力トルク（切替後の前進レンジでのデフ入力トルク）が所定値を超えているか否かを判定する。これら所定値も、前記ボルトＢの頭部とリングギヤ５１のボルト取付座面５１ａとの間で滑りが生じる可能性があるデフ入力トルクの範囲の下限値に相当する値として、実験またはシミュレーション等に基づいて設定されている。また、これら所定値も、同一の値であってもよいし、互いに異なる値であってもよい。
【００５１】
前記切替前デフ入力トルクおよび前記切替後デフ入力トルクのうち少なくとも一方が所定値以下であって、ステップＳＴ１０でＮＯ判定された場合には、前記高トルク入力カウンタのカウント値をインクリメントすることなく、そのままリターンされる。
【００５２】
一方、前記切替前デフ入力トルクおよび前記切替後デフ入力トルクの両方が所定値を超えており、ステップＳＴ１０でＹＥＳ判定された場合には、ステップＳＴ６に移り、前記高トルク入力カウンタのカウント値をインクリメントする。これらステップＳＴ１０，ＳＴ６の動作が、本発明でいう「カウント部による動作であって、自動変速機のシフトレンジが前進レンジと後進レンジとの間で切り替わった際、その切り替わり前後の入力トルクが共に所定値を超えている場合に、カウンタのカウント値をカウントアップする動作」に相当する。
【００５３】
このようにしてステップＳＴ６で高トルク入力カウンタのカウント値がインクリメントされた後、ステップＳＴ１１に移り、前記高トルク入力カウンタのカウント値が所定値に達したか否かを判定する。この所定値は、デファレンシャル装置５のリングギヤ５１に高い入力トルクが作用した状態でシフトレンジが前進レンジと後進レンジとの間で切り替わる状態が複数回生じた場合に、前記ボルトＢの緩みを生じる可能性がある回数に相当する値であって、実験またはシミュレーションに基づいて設定されている。
【００５４】
高トルク入力カウンタのカウント値が所定値に達しておらず、ステップＳＴ１１でＮＯ判定された場合には、シフトレンジが前進レンジと後進レンジとの間で切り替わる状態が生じても、未だレンジ切替時トルク制限制御を実行する必要はないとして、そのままリターンされる。
【００５５】
このようにして高トルク入力カウンタのカウント値がインクリメントされていき、高トルク入力カウンタのカウント値が所定値に達したことで、ステップＳＴ１１でＹＥＳ判定された場合には、ステップＳＴ１２において前記レンジ切替時トルク制限フラグを１にセットして、ステップＳＴ１３に移る。
【００５６】
ステップＳＴ１３では、レンジ切替時トルク制限制御を実行するための前提条件が成立しているか否かを判定する。この前提条件としては、例えばエンジン２の暖機運転が完了していること、および、エンジン回転数が所定値以上であることなどが挙げられる。
【００５７】
前記前提条件が成立しておらず、ステップＳＴ１３でＮＯ判定された場合には、レンジ切替時トルク制限制御を実行することなく、そのままリターンされる。
【００５８】
一方、前記前提条件が成立しており、ステップＳＴ１３でＹＥＳ判定された場合には、ステップＳＴ１４に移り、レンジ切替時トルク制限制御を実行する。つまり、スロットルバルブのアクチュエータ２１の制御による吸入空気量の減量補正、インジェクタ２２の燃料噴射量の減量補正、点火プラグ２３の点火タイミングの遅角補正の少なくとも何れかを行うことによってエンジントルクを低減する。この場合のエンジントルクの低減量は、前記ボルトＢの頭部とリングギヤ５１のボルト取付座面５１ａとの間で滑りを生じさせない範囲での上限値に入力トルクを制限する値として設定される。具体的には、吸入空気量の減量補正によってレンジ切替時トルク制限制御を行う場合には、前記エンジントルクの低減量を得るための吸入空気量の減量補正を規定するトルク制限マップがＥＣＵ１００に記憶されており、このトルク制限マップに従って、スロットル開度が調整される。なお、インジェクタ２２の燃料噴射量の減量補正によってレンジ切替時トルク制限制御を行う場合や、点火プラグ２３の点火タイミングの遅角補正によってレンジ切替時トルク制限制御を行う場合も同様に、トルク制限マップによって、これら制御量が調整される。このステップＳＴ１１〜ＳＴ１４の動作が、本発明でいう「トルク制限制御実行部による動作であって、カウンタのカウント値が所定値に達するまでは、レンジ切替時トルク制限制御を非実行とする一方、カウンタのカウント値が所定値に達した以後は、レンジ切替時トルク制限制御を許可する動作」に相当する。
【００５９】
このようにして、レンジ切替時トルク制限フラグが１にセットされた後、次回のルーチンにおいてシフトレンジ切り替え要求が生じた際に、そのシフトレンジ切り替え要求が前進レンジから後進レンジへの切り替え要求であった場合には、ステップＳＴ２およびステップＳＴ３でそれぞれＹＥＳ判定され、ステップＳＴ１５に移る。また、次回のルーチンにおいてシフトレンジ切り替え要求が生じた際に、そのシフトレンジ切り替え要求が後進レンジから前進レンジへの切り替え要求であった場合には、ステップＳＴ７およびステップＳＴ８でそれぞれＹＥＳ判定され、ステップＳＴ１５に移る。
【００６０】
このステップＳＴ１５では、デファレンシャル装置５に入力されている現在のデフ入力トルク（シフトレンジ切り替え要求が生じた時点での入力トルク；シフトレンジ切り替え要求が生じた際の切り替え前の入力トルク）を算出する。
【００６１】
その後、ステップＳＴ１６に移り、この算出された現在のデフ入力トルクが所定値を超えているか否かを判定する。この所定値も、前記ボルトＢの頭部とリングギヤ５１のボルト取付座面５１ａとの間で滑りが生じる可能性があるデフ入力トルクの範囲の下限値に相当する値として、実験またはシミュレーション等に基づいて設定されている。
【００６２】
デフ入力トルクが所定値を超えておらず、ステップＳＴ１６でＮＯ判定された場合には、レンジ切替時トルク制限制御を実行する必要はないとして、そのままリターンされる。一方、デフ入力トルクが所定値を超えており、ステップＳＴ１６でＹＥＳ判定された場合には、ステップＳＴ１３に移り、前述したように、レンジ切替時トルク制限制御を実行するための前提条件が成立していなければ（ステップＳＴ１３でＮＯ判定された場合）、レンジ切替時トルク制限制御を実行することなく、そのままリターンされる。一方、この前提条件が成立しておれば（ステップＳＴ１３でＹＥＳ判定された場合）、ステップＳＴ１４に移って、前記レンジ切替時トルク制限制御を実行する。このステップＳＴ１６〜ＳＴ１４の動作が、本発明でいう「トルク制限制御実行部による動作であって、カウンタのカウント値が所定値に達した以後にあっては、自動変速機が前進レンジと後進レンジとの間で切り替えられる際における切り替え前の入力トルクが所定値を超えている場合に限り、レンジ切替時トルク制限制御を許可する動作」に相当する。
【００６３】
このようなレンジ切り替え時のエンジントルク制御が行われるようになっているため、前記ＥＣＵ１００によって本発明に係る車両制御装置が構成される。この車両制御装置は、シフトポジションセンサ３０４からの信号（シフトレンジの切り替え要求の信号）、クランク角センサ２０１からの信号、スロットル開度センサ２０２からの信号、アクセル開度センサ３０３からの信号等を入力信号として受信する。また、この車両制御装置は、スロットルバルブのアクチュエータ２１へのスロットル開度指令信号、インジェクタ２２への燃料噴射指令信号、点火プラグ２３への点火指令信号の少なくとも一つを出力信号として出力する構成となっている。
【００６４】
図６は、自動変速機４のレンジ切り替え時における、シフトレンジ、デフ入力トルク、高トルク入力カウンタのカウント値、レンジ切替時トルク制限フラグそれぞれの変化の一例を示すタイミングチャート図である。このタイミングチャートでは、高トルク入力カウンタのカウント値が５となった場合にレンジ切替時トルク制限フラグが０から１にセットされる場合を示している。
【００６５】
図６におけるタイミングｔ１〜ｔ９では、自動変速機４のシフトレンジがそれぞれ前進レンジ（Ｄレンジ）と後進レンジ（Ｒレンジ）との間で切り替わっている。これらタイミングｔ１〜ｔ９のうち、タイミングｔ１〜ｔ３、ｔ６、ｔ８において、シフトレンジの切り替わり前後のデフ入力トルクが所定値Ｔ１を超えている。このため、初期値が０であった高トルク入力カウンタのカウント値は、タイミングｔ１で１、タイミングｔ２で２、タイミングｔ３で３、タイミングｔ６で４、タイミングｔ８で５にインクリメントされていき、このタイミングｔ８で、レンジ切替時トルク制限フラグが０から１にセットされる。
【００６６】
つまり、このタイミングｔ８までの期間では、レンジ切替時トルク制限制御が非実行とされ、このタイミングｔ８以後では、レンジ切替時トルク制限制御が許可されることになる。
【００６７】
そして、図６に実線で示すようにタイミングｔ９でシフトレンジが切り替えられる際における切り替え前のデフ入力トルクが所定値以下である場合には、レンジ切替時トルク制限制御は実行されない。これに対し、図６に二点鎖線で示すようにタイミングｔ９でシフトレンジが切り替えられる際における切り替え前のデフ入力トルクが所定値を超えている場合には、前記前提条件が成立している場合にレンジ切替時トルク制限制御が実行されることになる。
【００６８】
以上説明したように、本実施形態では、高トルク入力カウンタのカウント値が所定値に達するまでは、レンジ切替時トルク制限制御は行われない。つまり、自動変速機４のシフトレンジが前進レンジと後進レンジとの間で切り替わった際、その切り替わり前後の入力トルクが共に大きくても、前記高トルク入力カウンタのカウント値が所定値に達するまでは、エンジン２の出力トルクを制限しない。これにより、デファレンシャル装置５のリングギヤ５１とデフケース５２とを締結しているボルトＢに緩みが生じにくい状況において、車両の走行性能が高く確保される。一方、高トルク入力カウンタのカウント値が所定値に達すると、レンジ切替時トルク制限制御が許可される。これにより、前記ボルトＢの緩みを防止することができる。
【００６９】
また、このようにボルトＢの緩みを防止できることから、ボルトＢの諸元の変更、適用するボルトＢの本数の削減、このボルトＢの回り止め構造の廃止等といった設計変更が可能となり、構造の簡素化やコストの低廉化を図ることができる。
【００７０】
また、本実施形態では、高トルク入力カウンタのカウント値が所定値に達して、レンジ切替時トルク制限フラグが１にセットされた以後にあっては、自動変速機４が前進レンジと後進レンジとの間で切り替えられる際のデフ入力トルクが所定値を超えている場合に限り、レンジ切替時トルク制限制御を実行するようにしている。つまり、高トルク入力カウンタのカウント値が所定値に達した以後であっても、自動変速機４が前進レンジと後進レンジとの間で切り替えられる際のデフ入力トルクが所定値以下であって、前記ボルトＢに緩みが生じにくい状況（ボルトＢの緩みを生じさせないデフ入力トルクとなっている状況）ではレンジ切替時トルク制限制御を非実行としている。このため、高トルク入力カウンタのカウント値が所定値に達した以後におけるレンジ切替時トルク制限制御の実行機会を抑えることができる。
【００７１】
（変形例）
次に、変形例について説明する。前記実施形態では、レンジ切替時トルク制限フラグが１にセットされた以後は、シフトレンジ切り替え要求が生じた際の切り替え前のデフ入力トルクが所定値を超えていることを条件にレンジ切替時トルク制限制御を許可するようにしていた（図４のフローチャートにおけるステップＳＴ１５，ＳＴ１６を参照）。本変形例は、それに代えて、レンジ切替時トルク制限フラグが１にセットされた以後は、シフトレンジ切り替え要求が生じた際の切り替え前のデフ入力トルクに関わりなくレンジ切替時トルク制限制御を許可するものである。
【００７２】
図７および図８は、本変形例におけるレンジ切り替え時のエンジントルク制御の手順を示すフローチャートであって、前記実施形態における図４および図５に対応するものである。ここでは、図４および図５で示したフローチャートとの相違点について説明する。
【００７３】
前記実施形態の場合と同様にレンジ切替時トルク制限フラグが１にセットされた後（図７のステップＳＴ１２でレンジ切替時トルク制限フラグが１にセットされた後）、次回のルーチンにおいてシフトレンジ切り替え要求が生じた際に、そのシフトレンジ切り替え要求が前進レンジから後進レンジへの切り替え要求であった場合には、図７におけるステップＳＴ２およびステップＳＴ３でそれぞれＹＥＳ判定されることになる。また、レンジ切替時トルク制限フラグが１にセットされた後、次回のルーチンにおいてシフトレンジ切り替え要求が生じた際に、そのシフトレンジ切り替え要求が後進レンジから前進レンジへの切り替え要求であった場合には、図８におけるステップＳＴ７およびステップＳＴ８でそれぞれＹＥＳ判定されることになる。
【００７４】
これらの場合、その後、ステップＳＴ１３に移り、レンジ切替時トルク制限制御を実行するための前提条件が成立していなければ（図７のステップＳＴ１３でＮＯ判定された場合）、レンジ切替時トルク制限制御を実行することなく、そのままリターンされる。一方、この前提条件が成立しておれば（図７のステップＳＴ１３でＹＥＳ判定された場合）、ステップＳＴ１４に移って、前記レンジ切替時トルク制限制御を実行する。つまり、シフトレンジ切り替え要求が生じた時点での入力トルク（シフトレンジ切り替え要求が生じた際の切り替え前の入力トルク）を算出することなく、前記前提条件が成立していなければレンジ切替時トルク制限制御を実行せず、前記前提条件が成立しておればレンジ切替時トルク制限制御を実行することになる。
【００７５】
（他の実施形態）
以上説明した実施形態は、レンジ切替時トルク制限フラグが１にセットされた以後は、デフ入力トルクが所定値を超えていることを条件にレンジ切替時トルク制限制御を実行するようにしていた。つまり、シフトレンジの切り替え要求が、前進レンジから後進レンジへの切り替え要求、および、後進レンジから前進レンジへの切り替え要求の何れであってもレンジ切替時トルク制限制御を実行するようにしていた。本発明はこれに限らず、シフトレンジの切り替え要求が、前進レンジから後進レンジへの切り替え要求、および、後進レンジから前進レンジへの切り替え要求の何れか一方である場合に限り、レンジ切替時トルク制限制を実行するようにしてもよい。
【産業上の利用可能性】
【００７６】
本発明は、自動変速機のシフトレンジが前進レンジと後進レンジとの間で切り替えられた際におけるエンジンの出力トルク制御に適用可能である。
【符号の説明】
【００７７】
１      車両
２      エンジン（走行駆動力源）
４      自動変速機
５      デファレンシャル装置
５２    デフケース
５１    リングギヤ
Ｂ      ボルト
【図１】
2017053443.tif 000003
【図２】
2017053443.tif 000004
【図３】
2017053443.tif 000005
【図４】
2017053443.tif 000006
【図５】
2017053443.tif 000007
【図６】
2017053443.tif 000008
【図７】
2017053443.tif 000009
【図８】
2017053443.tif 000010